(57)【要約】【課題】容易にブレーキ装置の分解・組立てと保守点検作業を可能にし、さらに下部ブラケット周辺の保守点検スペースの拡大を可能にした立軸型発電機を提供すること。【解決手段】鉛直方向に設けられた発電機軸と、前記発電機軸に固定されて共に回転する界磁巻線を備えた回転子と、前記回転子に対向して固定子巻線を備えた固定子と、前記回転子の上下において発電機軸を支えるための上部軸受及び下部軸受とを具備してなる立軸型発電機において、前記上部軸受を支持する床面より上側の発電機軸にこの発電機軸と共に回転する円盤状のブレーキリングを設けるとともに、このブレーキリングに対峙した位置にブレーキシューを圧接して制動を行うブレーキ装置を設けた。【選択図】図１
2007209079.tif 000002
【特許請求の範囲】
【請求項１】
鉛直方向に設けられた発電機軸と、前記発電機軸に固定されて共に回転する界磁巻線を備えた回転子と、前記回転子に対向して固定子巻線を備えた固定子と、前記回転子の上下において発電機軸を支えるための上部軸受及び下部軸受とを具備してなる立軸型発電機において、前記上部軸受を支持する床面より上側の発電機軸にこの発電機軸と共に回転する円盤状のブレーキリングを設けるとともに、このブレーキリングに対峙した位置にブレーキシューを圧接して制動を行うブレーキ装置を設けたことを特徴とする立軸型発電機。
【請求項２】
前記ブレーキリング及びブレーキ装置は、前記上部軸受を支持する床面より上側に設置したことを特徴とする請求項１記載の立軸型発電機。
【発明の詳細な説明】
【技術分野】
【０００１】
本発明は、主に水力発電において使用される垂直方向に軸を持った立軸型発電機に関し、特に、ブレーキ装置の取付けに関するものである。
【背景技術】
【０００２】
従来より水力発電に用いられる発電機の一つとして立軸型発電機が存在する。図２は従来の立軸型発電機の構成を表した縦断面図である。この図２において、立軸型発電機の上部軸受１２と略同じ高さの位置には発電機室床面１８が設けられ、固定子１５の外側には固定子床面１９が設けられ、最も下層の位置には水車室床面２０が設けられている。
【０００３】
発電機軸１１は垂直方向に配置されており、この発電機軸１１は上部軸受１２と下部軸受１３によって安定に保持されている。また、この上部軸受１２と下部軸受１３をそれぞれ支える構成として、上部ブラケット２５と下部ブラケット２６がそれぞれ設けられており、これらは軸受部分を複数方向（例えば120°間隔で３方向）から支える構造となっている。さらに、上部軸受１２と下部軸受１３の間の発電機軸１１上には界磁巻線を備えた回転子１４が設けられ、この回転子１４に対向して固定子巻線を備えた固定子１５が設けられている。
【０００４】
前記回転子１４の下面にはブレーキリング１６が設けられるとともに、このブレーキリング１６の下側の１箇所或いは複数箇所にブレーキ装置１７が設けられ、ブレーキリング１６に対してブレーキ装置１７のブレーキシューを圧接させて制動を行う構成となっている。
なお、前記上部軸受１２の上側には、励磁器２９が設けられている。
このような構成において、発電機軸１１の下端に設けた水車部分（図示省略）に水流が作用することで、発電機軸１１及び回転子１４が回転して発電が行われる。
【０００５】
この図２に示すような立軸型発電機は、従来から様々なものが提案されており、例えば、特許文献１〜３が存在する。
【特許文献１】特開平０９−２８０１５４号公報
【特許文献２】特開２００５−１６３５６３号公報
【特許文献３】特開平０５−３０７００号公報
【発明の開示】
【発明が解決しようとする課題】
【０００６】
ところで、これらの立軸型発電機を安全に運転するためには定期的な保守点検が不可欠であるが、この必要な保守点検項目の１つにブレーキ部分の点検がある。図２に示すように、立軸型発電機のブレーキ装置１７は回転子１４の下側に設置されており、このブレーキ装置１７のブレーキシューの磨耗状態を点検して場合によっては交換作業を行う。このブレーキ装置１７を点検する場合、固定子床面１９からの作業は固定子枠２１があるため行えないことから、水車室床面２０側から点検を行う。この場合、水車室床面２０から梯子２２を使って作業足場２３に登って作業を行うが、この部分は整流板２４が塞いでいるため、ブレーキ装置１７の点検を行うにはこの整流板２４の分解作業が必要であり、作業が煩雑であるという問題があった。また、整流板２４を分解してもこの部分には下部ブラケット２６が設けてあるため、ブレーキ装置１７の設置された回転子１４の下のスペースは非常に狭く、作業足場２３から行う作業は整流板２４の分解後であっても作業しづらいという問題があった。
【０００７】
本発明は、上記問題点に鑑みなされたものであり、容易にブレーキ装置の分解・組立てと保守点検作業を可能にし、さらに下部ブラケット周辺の保守点検スペースの拡大を可能にした立軸型発電機を提供することを目的とするものである。
【課題を解決するための手段】
【０００８】
請求項１記載の発明は、鉛直方向に設けられた発電機軸と、前記発電機軸に固定されて共に回転する界磁巻線を備えた回転子と、前記回転子に対向して固定子巻線を備えた固定子と、前記回転子の上下において発電機軸を支えるための上部軸受及び下部軸受とを具備してなる立軸型発電機において、前記上部軸受を支持する床面より上側の発電機軸にこの発電機軸と共に回転する円盤状のブレーキリングを設けるとともに、このブレーキリングに対峙した位置にブレーキシューを圧接して制動を行うブレーキ装置を設けたことを特徴とする立軸型発電機である。
【０００９】
請求項２記載の発明は、請求項１に加えて、前記ブレーキリング及びブレーキ装置は、前記上部軸受を支持する床面より上側に設置したことを特徴とする立軸型発電機である。
【発明の効果】
【００１０】
請求項１記載の発明によれば、上部軸受を支持する床面より上側の発電機軸にブレーキリングを設け、ブレーキリングと対峙させて固定的にブレーキ装置を配置することにより、ブレーキ装置の保守点検作業を前記床面から行うことが可能となり、図２に示す従来例のような整流板を分解する等の煩雑な作業を伴うことなく保守点検作業を行うことができる。また、ブレーキ装置を前記のごとく配置することにより、下部ブラケット周辺の保守点検スペースの拡大が図れる。
【００１１】
請求項２記載の発明によれば、ブレーキリング及びブレーキ装置を前記上部軸受を支持する床面より上側に設置したので、図２に示す従来例においては、ブレーキシューの交換の有無に拘わらず保守点検作業を行う場合には常に整流板を分解する等の煩雑な作業を必要としていたが、本発明においては、前記床面から覗いてブレーキ装置の保守点検作業を行って、その結果ブレーキシューの交換が必要であると判断した場合にのみ交換作業を行えばよいため、従来の無駄な作業時間を軽減することが可能となる。
【発明を実施するための最良の形態】
【００１２】
本発明による立軸型発電機は、鉛直方向に設けられた発電機軸と、前記発電機軸に固定されて共に回転する界磁巻線を備えた回転子と、前記回転子に対向して固定子巻線を備えた固定子と、前記回転子の上下において発電機軸を支えるための上部軸受及び下部軸受とを具備してなる立軸型発電機において、前記上部軸受を支持する床面より上側の発電機軸にこの発電機軸と共に回転する円盤状のブレーキリングを設けるとともに、このブレーキリングに対峙した位置にブレーキシューを圧接して制動を行うブレーキ装置を設けたことを特徴とするものであり、また、前記ブレーキリング及びブレーキ装置は、前記上部軸受を支持する床面より上側に設置したことを特徴とするものである。
以下、図面に基づいて詳細な説明を行う。
【実施例１】
【００１３】
本発明による立軸型発電機の構成を図１に基づいて説明する。なお、従来の立軸型発電機の構成を表した図２と同様の構成のものについては同一符号を使用している。この図１において、発電機軸１１は垂直方向に配置されており、この発電機軸１１は上部軸受１２と下部軸受１３によって安定に保持されている。また、この上部軸受１２と下部軸受１３をそれぞれ支える構成として、上部ブラケット２５と下部ブラケット２６がそれぞれ設けられており、これらは軸受部分を複数方向（例えば120°間隔で３方向）から支える構造となっている。さらに、上部軸受１２と下部軸受１３の間の発電機軸１１上には界磁巻線を備えた回転子１４が設けられ、この回転子１４に対向して固定子巻線を備えた固定子１５が設けられている。
【００１４】
この本発明の立軸型発電機は、図２に示す従来例と同様に、上部軸受１２が略同じ高さの位置の発電機室床面１８に設けられ、下部軸受１３が固定子１５の外側の固定子床面１９に設けられている。最も下層の位置には水車室床面２０が設けられている。また、図２と同様、発電機軸１１の上端部には励磁器２９が設けられている。
【００１５】
ここで、本発明の立軸型発電機においては、図２の従来例において回転子１４の下側に設けられていたブレーキ装置１７に替えて、上部軸受１２の上側にて発電機軸１１に固定されて共に回転するブレーキリング２７を設けるとともに、このブレーキリング２７に側面からブレーキシューを圧接させて制動を行うブレーキ装置２８を、上部ブラケット２５の上の１箇所或いは複数箇所に固定的に設ける。このブレーキ装置２８は、例えば、電磁ブレーキが用いられるが、その他の空気圧や油圧を用いたものであってもよい。
また、ブレーキリング２７及びブレーキ装置２８の外側には、これらを覆うブレーキ枠３０が設けられているが、このブレーキ枠３０に目視でブレーキシューの磨耗状態を確認するための内部観察用の窓を設ける。
このような構成において、発電機軸１１の下端に設けた水車部分（図示省略）に水流が作用することで、発電機軸１１及び回転子１４が回転して発電が行われる。また、運転を停止する場合には、ブレーキ装置２８を駆動してブレーキリング２７にブレーキシューを圧接させて行う。
【００１６】
以上のように、ブレーキリング２７及びブレーキ装置２８を上部軸受１２の上側に設けることにより、このブレーキリング２７及びブレーキ装置２８が発電機室床面１８と略同じ高さの位置或いはやや高い位置に配置されることになる。この位置に設けられることにより、ブレーキ装置２８の保守点検作業を発電機室床面１８から覗いて行うことが可能となり、図２に示す従来例のような整流板２４を分解する等の煩雑な作業を伴うことなく保守点検作業を行うことができる。
【００１７】
また、図２に示す従来例においては、ブレーキシューの交換の有無に拘わらず保守点検作業を行う場合には常に整流板２４を分解する等の煩雑な作業を必要としていたが、本発明においては、発電機室床面１８から覗いてブレーキ装置２８の保守点検作業を行って、その結果ブレーキシューの交換が必要であると判断した場合にのみ交換作業を行えばよいため、従来の無駄な作業時間を軽減することが可能となる。
【図面の簡単な説明】
【００１８】
【図１】本発明による立軸型発電機の構成を表した縦断面図である。
【図２】従来の立軸型発電機の構成を表した縦断面図である。
【符号の説明】
【００１９】
１１…発電機軸、１２…上部軸受、１３…下部軸受、１４…回転子、１５…固定子、１６…ブレーキリング、１７…ブレーキ装置、１８…発電機室床面、１９…固定子床面、２０…水車室床面、２１…固定子枠、２２…梯子、２３…作業足場、２４…整流板、２５…上部ブラケット、２６…下部ブラケット、２７…ブレーキリング、２８…ブレーキ装置。
【図１】
2007209079.tif 000003
【図２】
2007209079.tif 000004